(57)【要約】【課題】クロージャ内の光ファイバ心線に対して、特別な測定器を用いることなく、現用回線と空き回線の区別や信号光の用途等を簡単に目視で判別でき、光ケーブルの引き落とし作業を短時間で効率よく実施できる光検出コネクタを提供する。【解決手段】所定の赤外域の波長を透過、反射する波長フィルタ４ａと、該波長フィルタを透過、反射した信号光を受光し電気信号に変換する受光素子６と、電気信号を所定の駆動信号に変換する検出回路７と、駆動信号により可視可能に点灯又は点滅する発光表示素子８を備え、光伝送路中の光コネクタと光学的に着脱可能に接続され、伝送路の光信号を検出する。【選択図】図１
2009204319.tif 000002
【特許請求の範囲】
【請求項１】
所定の赤外域の波長を透過、反射する波長フィルタと、該波長フィルタを透過、反射した信号光を受光し電気信号に変換する受光素子と、前記電気信号を所定の駆動信号に変換する検出回路と、前記駆動信号により可視可能に点灯又は点滅する発光表示素子を備え、光伝送路中の光コネクタと光学的に着脱可能に接続され、伝送路の光信号を検出することを特徴とする光検出コネクタ。
【請求項２】
前記波長フィルタは、波長の異なる複数の信号光を透過、反射させる誘電体多層膜フィルタで、前記複数の信号光を個別に検出することを特徴とする請求項１に記載の光検出コネクタ。
【請求項３】
前記光伝送路中の光コネクタと光学的に着脱可能に接続されるレセプタクル部を備えていることを特徴とする請求項１又は２に記載の光検出コネクタ。
【請求項４】
光分岐器が搭載され、一方の導波路が前記信号光に対してスルーとされ、その出力側に前記光伝送路中の光コネクタと光学的に着脱可能に接続される光コネクタを備えていることを特徴とする請求項１〜３のいずれか１項に記載の光検出コネクタ。
【請求項５】
前記スルーの導波路に光分岐器が搭載され、前記スルーの導波路の分岐導波路側に、前記出力側からの信号光を透過する波長フィルタ、並びに、前記信号光を検出する受光素子、検出回路、発光表示素子を備えていることを特徴とする請求項４に記載の光検出コネクタ。
【発明の詳細な説明】
【技術分野】
【０００１】
本発明は、幹線光ケーブルから分岐された光ファイバ端等に設けられた光コネクタに着脱可能に接続され、信号光の検出に用いられる光検出コネクタに関する。
【背景技術】
【０００２】
光通信技術の進展に伴い、ＦＴＴＨ（Fiber To The Home）に代表される加入者系通信網のＰＯＮ（Passive Optical Network）システムの導入が進んでいる。このＰＯＮシステムでは、メタルケーブル並みの低価格で、より高速なサービスを実現するために、光ファイバの本数を減らし１本の光ファイバで、局側と加入者側のデータの双方向通信を行う一心双方向通信方式（１.３１μｍ帯と１.４９μｍ帯）が提案されている。また、近年はこれに加えて映像等の放送用の信号（１.５５μｍ帯）を含めた１心３波方式、あるいは、２心３波方式が採用されるようになっている。
【０００３】
このＦＴＴＨでは、通常、架空の幹線光ケーブルからクロージャと言われている接続函を介して加入者宅等に引き落とす方法が用いられている。この光ケーブルの引き落としには、例えば、ドロップ光ケーブルと言われている光ケーブルが多く用いられているが、架空の幹線光ケーブルからの引き落とし作業の場合は、電柱上やバケット車上というような作業環境の悪い状況で行うことが多く、ケーブルを所定の長さに切断し、ケーブル内から光ファイバ心線を取り出し、光ファイバ同士の融着接続と補強処理などの作業は容易ではなく、時間もかかる。また、融着接続作業はある程度のスキルが必要とされ、需要増に対して作業技術者を確保しにくいという問題がある。
【０００４】
このため、光ケーブルの引き落としに際しては、幹線用光ケーブルから光ファイバを分岐し、その分岐光ファイバに光コネクタを予め取付けておく。この分岐光ファイバに光コネクタを取付けるまでは、スキルのある専門の作業者によって行う。そして、この分岐ファイバに取付けられた光コネクタから先の作業は、予め光コネクタを取付けた所定長さのドロップ光ケーブルを用いて、光コネクタの着脱だけで接続できるようにする。これにより、後半の引き落とし作業は、特にスキルを有しない通常の作業者により加入者宅内までを引き落と布設方法がある（例えば、特許文献１参照）。
【０００５】
また、局側と加入者宅側との光接続や接続変更に際して、複数本の光ファイバのうちから接続する心線を選択するのに、心線判別を行う必要がある。この心線判別には、例えば、光ファイバ心線を部分的に曲げて、その漏洩光を検出することで、特別な識別用の光源を用いることなく、光伝送路の信号光を検出して特定の心線を判別する方法が知られている（例えば、特許文献２参照）。
【特許文献１】特開２００３−１７７２５４号公報
【特許文献２】特開２００４−１０９４０１号公報
【発明の開示】
【発明が解決しようとする課題】
【０００６】
特許文献２に開示の方法による心線判別は、光ファイバ心線を屈曲させて実施するため、分岐された光ファイバ心線にアクセスできる作業者により行うことができる。しかしながら、特許文献１に開示のように、光コネクタを用いて光ケーブルの引き落としを行う場合、光ファイバ心線の分岐部分から光コネクタが取付けられた範囲については、特定の作業者以外は触れることが出来ないように制限されることがある。この場合、通常の引き落としを実施する作業者は、クロージャ内の分岐端に取付けられた光コネクタ（又は接続アダプタ）を通して心線の判別等を行うことになる。
【０００７】
分岐された現用回線の光ファイバ心線には、１.４９μｍ又は１.５５μｍの信号光が送出されているとすると、これらの信号光は赤外光域であるため、透過又は遮蔽フィルタ等を用いて取り出すことができるとしても目視では確認することができない。したがって、分岐光ファイバの端部にそれぞれ取付けられている複数の光コネクタの何れに、ドロップ光ケーブルを接続すればよいか確認することができない。
【０００８】
このため、透過、遮蔽フィルタ等で信号光を取り出して、例えば、パワーメータ等で信号光の出力パワーを測定（数値で確認）し、無効回線（空き回線）、使用可能回線（現用回線）、信号光の用途（放送用の１.５５μｍか、データ通信の１.４９μｍか）を目視で確認する必要があった。しかし、これには、パワーメータ等の専用の測定器が必要とされ、かつ測定した数値を判断する必要があり、それなりの専門性を有する作業者による引き落としが必要とされることとなり、光コネクタによる簡易な引き落とし作業を十分生かすことができていなかった。
【０００９】
本発明は、上述した実情に鑑みてなされたもので、クロージャ内の光ファイバ心線に対して、特別な測定器を用いることなく、現用回線と空き回線の区別や信号光の用途等を簡単に目視で判別でき、光ケーブルの引き落とし作業を短時間で効率よく実施できる光検出コネクタを提供することを目的とする。
【課題を解決するための手段】
【００１０】
本発明による光検出コネクタは、所定の赤外域の波長を透過、反射する波長フィルタと、該波長フィルタを透過、反射した信号光を受光し電気信号に変換する受光素子と、電気信号を所定の駆動信号に変換する検出回路と、駆動信号により可視可能に点灯又は点滅する発光表示素子を備え、光伝送路中の光コネクタと光学的に着脱可能に接続され、伝送路の光信号を検出する。
【００１１】
本発明による光検出コネクタの波長フィルタは、波長の異なる複数の信号光を透過、反射させる誘電体多層膜フィルタで、複数の信号光を個別に検出する。また、光検出コネクタは、光伝送路中の光コネクタと着脱可能に接続されるレセプタクル部を備えている。また、本発明による光検出コネクタは、光分岐器が搭載され、一方の導波路が信号光に対してスルーとされ、その出力側に光伝送路中の光コネクタと光学的に着脱可能に接続される光コネクタを備えている。なお、スルー側の導波路にも光分岐器が搭載され、スルーの導波路の分岐導波路側に、出力側からの信号光を透過する波長フィルタ、並びに、前記の信号光を検出する受光素子、検出回路、発光表示素子を備え、出力側からの信号光も検出できるようにしてもよい。
【発明の効果】
【００１２】
本発明によれば、クロージャ内の分岐光ファイバの端部に取付けられた光コネクタに、光検出コネクタを接続するだけで、簡単に空き回線か現用回線かを発光表示素子の点灯や点滅で容易に判別できると共に、現用回線である場合は、その信号光の波長を識別することも可能となる。
【発明を実施するための最良の形態】
【００１３】
本発明による光検出コネクタは、光ファイバの端部に取付けられている光コネクタに接続、または、光ファイバの端部に直接に接続して、光ファイバ中に送出されている信号光（又は光信号）の有無、あるいは、その信号光の波長を検出確認するのに用いられる。例えば、幹線光ケーブルから分岐された光ファイバに、光信号が送出されているか（現用回線）、その光信号の波長はどの位かを判別するのに用いられる。
【００１４】
図により本発明の実施の形態を説明する。図１（Ａ）は、本発明の光検出コネクタの一例を説明する概略図、図１（Ｂ）は検出回路の一例を示す概略図である。図中、１ａは光検出コネクタ、２ａはコネクタ部、３ａは本体部、４ａは波長フィルタ、５は光検出装置、６は受光素子（ＰＤ）、７は検出回路、７ａは増幅部、７ｂは駆動部、７ｃは制御部、７ｄは電源部、８は発光表示素子（ＬＥＤ）を示す。
【００１５】
図１に示す光検出コネクタは、コネクタ部２ａと本体部３ａからなり、コネクタ部２ａが、検出する光ファイバの光コネクタが接続されているアダプタ等に挿着される。本体部３ａは、コネクタ部２ａから導光された光信号を、波長フィルタ４ａで所定の波長の信号光のみを透過させて光検出装置５に入力する。波長フィルタ４ａは、例えば、誘電体多層膜からなる波長フィルタを用いることができ、光信号が１.４９μｍと１.５５μｍの２波が含まれている場合は、何れか一方の波長の信号光のみを透過させることができる。
【００１６】
光検出装置５は、波長フィルタ４ａを透過した信号光を受光して光信号を電気信号に変換する受光素子６（例えば、フォトダイオード、以下ＰＤという）と、受光素子６からの電気信号を検出信号に変換する検出回路７、検出信号を視覚的に表示する発光表示素子（例えば、発光ダイオード、以下ＬＥＤという）で構成される。この光検出装置５は、例えば、図１（Ｂ）に概略で示すような検出回路で構成される。波長フィルタ４ａを透過した信号光は、ＰＤ６で受光して電気信号に変換され、この電気信号は増幅部７ａで所定のレベルに増幅され、駆動部７ｂに入力される。駆動部７ｂでは、制御部７ｃによってＬＥＤ８を点灯または点滅表示させるための駆動信号が生成される。なお、検出回路７には、ＰＤ６あるいはＬＥＤのバイアス電圧を供給するための電源部７ｄが含まれる。
【００１７】
図２は、他の実施形態を説明する図で、１つの光検出コネクタで、２つの信号光を判別することが可能な例を示している。図中、１ｂ，１ｃは光検出コネクタ、２ｂはレセプタクル型のコネクタ部、３ｂは本体部、４ｂは波長フィルタ、５ａ，５ｂは光検出装置、８ａは赤色のＬＥＤ、８ｂは緑色のＬＥＤを示す。
図２（Ａ）に示す光検出コネクタ１ｂは、本体部３ｂと図１（Ａ）と同様なコネクタ部２ａとからなる。本体部３ｂは、コネクタ部２ａから導光された光信号を、波長フィルタ４ｂで所定の波長の信号光のみを透過させて光検出装置５ａに入力し、反射する波長の信号光を光検出装置５ｂに入力する。
【００１８】
波長フィルタ４ｂは、例えば、図１（Ａ）の例と同様な誘電体多層膜からなる波長フィルタを用い、受光する光信号に１.４９μｍと１.５５μｍの２波の信号光が含まれている場合は、一方の信号光（例えば、１.４９μｍ）を透過、他方の信号光（例えば、１.５５μｍ）を反射させる。透過された１.４９μｍの信号光は、光検出装置５ａで赤色のＬＥＤ８ａを点灯または点滅させることにより検出され、反射された１.５５μｍの信号光は、光検出装置５ｂで緑色のＬＥＤ８ｂを点灯または点滅させることにより検出される。
【００１９】
図２（Ｂ）に示す光検出コネクタ１ｃは、レセプタクル型の光コネクタ２ｂと、図２（Ａ）で説明したのと同様な本体部３ｂとからなる。光ファイバの光コネクタと接続するコネクタを、レセプタクル型とすることにより、光ファイバ側の光コネクタと直接の嵌合により接続することができ、接続アダプタを不要とすることができる。なお、その他の構成については、図２（Ａ）と同様に、透過された１.４９μｍの信号光を、光検出装置５ａで赤色のＬＥＤ８ａを点灯または点滅で検出し、反射された１.５５μｍの信号光は、光検出装置５ｂで緑色のＬＥＤ８ｂを点灯または点滅で検出することができる。
【００２０】
図３及び図４は、その他の実施形態を説明する図で、インラインで使用する光検出コネクタの例を示している。図中、１ｄ，１ｅは光検出コネクタ、２ｂ，２ｃはレセプタクル型のコネクタ部、３ｃ，３ｄは本体部、４ｃは波長フィルタ、５ｃは光検出装置、８ｃは橙色のＬＥＤ、９ａ，９ｂは光分岐器、１０はスルー導波路を示す。その他の符号は、図１〜図２に用いたのと同じ符号を用いることにより説明を省略する。
【００２１】
図３に示す光検出コネクタ１ｄは、本体部３ｃと、入出力側の両方に配したレセプタクル型のコネクタ部２ｂ，２ｃとからなる。本体部３ｃは、入力側のコネクタ部２ｂから導光された光信号を、光分岐器９ａを介して２分岐し、分岐された一方の光信号を波長フィルタ４ｂに入力し、分岐された他方の光信号をスルー導波路１０により出力側のコネクタ部２ｃにスルーさせる。光分岐器９ａは、光コネクタ２ｂから導光された光信号を、例えば、１：９９の分岐比で分岐させ、１を波長フィルタ４ｂ側に、９９をスルー導波路１０側に分岐する。
【００２２】
波長フィルタ４ｂは、例えば、図２の例と同様な誘電体多層膜からなる波長フィルタを用い、受光する光信号に１.４９μｍと１.５５μｍの２波の信号光が含まれている場合は、一方の信号光（例えば、１.４９μｍ）を透過、他方の信号光（例えば、１.５５μｍ）を反射させる。透過された１.４９μｍの信号光は、光検出装置５ａで赤色のＬＥＤ８ａを点灯または点滅させて検出し、反射された１.５５μｍの信号光は、光検出装置５ｂで緑色のＬＥＤ８ｂを点灯または点滅させて検出する。
【００２３】
この光検出コネクタ１ｄは、光伝送路に接続し光信号の検出を行っているインライン状態で、光信号を加入者宅等に送信することができ、そのほとんどの光信号は、スルー導波路１０側に分岐され、光コネクタ２ｃを経て送信される。この場合、光コネクタ２ｃに、加入者宅等に引き落されるドロップ光ケーブルの一端に取付けられている光コネクタが接続され、１.４９μｍと１.５５μｍの２波の信号光を送信することができる。
【００２４】
図４に示す光検出コネクタ１ｅは、図３の例と同様に、本体部３ｄと、入出力側の両方に配したレセプタクル型のコネクタ部２ｂ，２ｃとからなる。本体部３ｄは、入力側のコネクタ部２ｂから導光された光信号を、光分岐器９ａを介して２分岐し、分岐された一方の光信号を波長フィルタ４ｂに入力し、分岐された他方の光信号をスルー導波路１０により出力側のコネクタ部２ｃにスルーさせる構成については、図３の例と同じであるので、説明を省略する。
【００２５】
図４の例では、出力側の光コネクタ２ｃに加入者等に引き落される光ケーブルが接続されていると、スルー導波路１０から光信号を送信すると共に、双方向通信で加入者側の方向からも波長の異なる信号光が送信されてくる場合がある。１芯３波の双方向通信では、加入者側から局側に向けて、例えば、１.３１μｍ帯の光信号を送信することが可能とされている。このため、光検出コネクタ１ｅを用いて、光コネクタ２ｃ側から光コネクタ２ｂ側に向けて送信される１.３１μｍ帯の信号光を検出することにより、加入者側の端末の使用状況や回線の状態、故障検出等を検出することが可能となる。
【００２６】
この信号光の検出は、スルー導波路１０に光分岐器９ａと同様な１：９９の分岐比をもつ光分岐器９ｂを接続し、分岐導波路側に波長フィルタ４ｃを介して光検出装置５ｃを接続する。波長フィルタ４ｃは、図１（Ａ）の例で用いたのと同様に、例えば、誘電体多層膜からなる波長フィルタを用いることができ、例えば、１.３１μｍ帯の波長の信号光のみを透過させるようにする。この信号光の検出には、光検出装置５ｃは、５ａ，５ｂと同様な構成の検出回路で形成し、例えば、橙色のＬＥＤ８ｃを点灯または点滅させて行うことができる。
【００２７】
図５〜図７は、上述した光検出コネクタの使用例について説明する図である。図中、２０は幹線光ケーブル、２０ａは被覆除去部、２１は分岐光ファイバ、２２はクロージャ、２３はクランプ部、２４は接続アダプタ、２５は光ファイバ分岐領域、２６は引き落とし領域、２７はドロップ光ケーブル側の光コネクタ、２８はドロップ光ケーブルを示す。その他の符号は、図１〜図４で用いたのと同じ符号を用いることにより説明を省略する。
【００２８】
図５は、図２で説明した光検出コネクタ１ｂの使用例を説明する図である。この使用例は、幹線光ケーブル２０から分岐された分岐光ファイバ２１の現用回線及びその波長を判別する例である。分岐光ファイバ２１は、例えば、幹線光ケーブル２０の所定の位置の被覆除去部分２０ａに、クランプ手段２３により取付けられるクロージャ２２を用いて引き出される。この分岐光ファイバ２１は、そのファイバ端に取付けた光コネクタ（図示せず）を接続アダプタ２４に挿着して成端される。なお、クロージャ２２内の点線で囲む左側の光ファイバ分岐領域２５で、分岐光ファイバ２１を接続アダプタ２４で成端させるまでは、光ケーブル布設で特定のスキルを有する作業者によって実施される。そして、この光ファイバ分岐領域２５は、他の作業者によって損傷されないように閉塞される場合もある。
【００２９】
クロージャ２２内の接続アダプタ２４から右側の引き落とし領域２６は、ドロップ光ケーブルを加入者宅に引き落とすための領域で、予めドロップ光ケーブルの端部に取付けられた光コネクタを接続アダプタ２４に差込むだけでよく、スキルを有しない作業者にて布設することができる。しかし、分岐光ファイバ２１内の光信号は、赤外域の波長であるため、接続アダプタ２４の解放口からのぞいても視覚で確認することができない。したがって、加入者宅に引き落とすドロップ光ケーブルを、どの接続アダプタに接続したらよいかの判断をすることができない。
【００３０】
そこで、例えば、図２（Ａ）で説明した光検出コネクタ１ｂを接続アダプタ２４に引き落とし領域２６から挿着する。光検出コネクタ１ｂの挿着によって、例えば、分岐光ファイバ２１に１.４９μｍの信号光が送信されていれば、光検出コネクタ１ｂの赤色のＬＥＤ表示部（８ａ）が点灯する。分岐光ファイバ２１に１.５５μｍの信号光が送信されていれば、光検出コネクタ１ｂの緑色のＬＥＤ表示部（８ｂ）が点灯する。また、分岐光ファイバ２１に１.４９μｍと１.５５μｍの両方の信号光が送信されていれば、光検出コネクタ１ｂの赤色のＬＥＤ表示部（８ａ）と緑色のＬＥＤ表示部（８ｂ）の両方が点灯する。分岐光ファイバ２１にこれらの信号光が送信されていなければ、光検出コネクタ１ｂのＬＥＤ表示部は何れも点灯しない。
【００３１】
この光検出コネクタ１ｂの点灯状態を確認しながら、光検出コネクタ１ｂを接続アダプタ２４から外し、代わりにドロップ光ケーブル側の光コネクタを挿着する。この結果、特にスキルのない作業者であっても、間違い無く所定の接続アダプタにドロップ光ケーブルを接続することができる。
【００３２】
図６は、図３で説明したスルー導波路を有するインライン型の光検出コネクタ１ｄの使用例を説明する図である。また、この光検出コネクタ１ｄは、コネクタ部がレセプタクル型のコネクタで形成され、接続アダプタを兼ねた形状のものである。分岐光ファイバ２１の信号光のうち分岐導波路側に分岐された信号光は、光検出コネクタ１ｄで成端され、分岐光ファイバ２１に送信されている信号光の有無と、信号光の波長が判別できる。
【００３３】
すなわち、分岐光ファイバ２１に１.４９μｍの信号光が送信されていれば、光検出コネクタ１ｄの赤色のＬＥＤ表示部（８ａ）が点灯する。分岐光ファイバ２１に１.５５μｍの信号光が送信されていれば、光検出コネクタ１ｄの緑色のＬＥＤ表示部（８ｂ）が点灯する。また、分岐光ファイバ２１に１.４９μｍと１.５５μｍの両方の信号光が送信されていれば、光検出コネクタ１ｄの赤色のＬＥＤ表示部（８ａ）と緑色のＬＥＤ表示部（８ｂ）の両方が点灯する。分岐光ファイバ２１にこれらの信号光が送信されていなければ、光検出コネクタ１ｄのＬＥＤ表示部は何れも点灯しない。
【００３４】
この光検出コネクタ１ｄのＬＥＤ表示部の点灯状態を見ながら、ドロップ光ケーブル２８の端部に取付けられた光コネクタ２７を、所定のＬＥＤが点灯している光検出コネクタ１ｄのレセプタクル部に挿着することができる。この結果、特にスキルのない作業者であっても、間違い無く所定の接続アダプタにドロップ光ケーブル２８を接続することができる。また、ＬＥＤ表示は、ドロップ光ケーブル接続後も点灯しているため、接続のチェックも確実となる。なお、接続終了後はＬＥＤ表示用の電源（電池）が消耗するまで放置するか、あるいは、電源回路をカットする操作手段を設けるようにしてもよい。
【００３５】
図７は、図４で説明したスルー導波路を有するインライン型の光検出コネクタ１ｅの使用例を説明する図である。また、この光検出コネクタ１ｅは、コネクタ部がレセプタクル型のコネクタで形成され、接続アダプタを兼ねた形状のものである。したがって、図６の使用例と同様に、分岐光ファイバ２１の信号光のうち分岐導波路側に分岐された信号光は、光検出コネクタ１ｅで成端され、分岐光ファイバ２１に送信されている信号光の有無と、信号光の波長が判別できる。また、加入者宅にドロップ光ケーブル２８が接続されている場合は、その上りの信号光（１.３１μｍ）を同様に検出することができる。
【００３６】
すなわち、分岐光ファイバ２１に１.４９μｍの信号光が送信され、加入者側から１．３１の信号光が送信されていれば、光検出コネクタ１ｅの赤と橙色のＬＥＤ表示部（８ａ，８ｃ）が点灯する。分岐光ファイバ２１に１.４９μｍの信号光が送信され、加入者側から１．３１の信号光の送信がなければ、赤色のＬＥＤ表示部（８ａ）のみが点灯し、加入者側で何かトラブルが生じている可能性があることを判別することができる。分岐光ファイバ２１に１.５５μｍの信号光が送信されていれば、光検出コネクタ１ｄの緑色のＬＥＤ表示部（８ｂ）が点灯し、また、加入者側からの送信がない通信方式では、橙色のＬＥＤ表示部（８ｃ）は点灯しない。
【００３７】
また、分岐光ファイバ２１に１.４９μｍと１.５５μｍの両方の信号光が送信され、加入者側から１.３１の信号光が送信されていれば、光検出コネクタ１ｅの赤と緑と橙色のＬＥＤ表示部（８ａ，８ｂ，８ｃ）の全てが点灯する。また、この場合、加入者側で何かトラブルが生じていると、橙色のＬＥＤ表示部（８ｃ）が点灯しない。また、分岐光ファイバ２１にこれらの信号光が送信されていなければ空き心線として、光検出コネクタ１ｅのＬＥＤ表示部は何れも点灯しない。
【００３８】
この光検出コネクタ１ｅのＬＥＤ表示部の点灯状態を見ながら、図６の使用例と同様にドロップ光ケーブル２８の端部に取付けられた光コネクタ２７を、所定のＬＥＤが点灯している光検出コネクタ１ｅのレセプタクル部に挿着する。この結果、特にスキルのない作業者であっても、間違い無く所定の接続アダプタにドロップ光ケーブルを接続することができる。また、ドロップ光ケーブル接続後は、加入者側からの信号光も検出することができ、加入者端末の使用や故障状態のチェック検出も行うことが可能となる。
【図面の簡単な説明】
【００３９】
【図１】本発明の実施形態の概略を説明する図である。
【図２】本発明の他の実施形態を説明する図である。
【図３】本発明その他の実施形態を説明する図である。
【図４】本発明その他の実施形態を説明する図である。
【図５】本発明による光検出コネクタの使用例を説明する図である。
【図６】本発明による光検出コネクタの他の使用例を説明する図である。
【図７】本発明による光検出コネクタのその他の使用例を説明する図である。
【符号の説明】
【００４０】
１ａ〜１ｅ…光検出コネクタ、２ａ〜２ｃ…コネクタ部、３ａ〜３ｄ…本体部、４ａ〜４ｃ…波長フィルタ、５，５ａ〜５ｃ…光検出装置、６…受光素子（ＰＤ）、７…検出回路、７ａ…増幅部、７ｂ…駆動部、７ｃ…制御部、７ｄ…電源部、８，８ａ〜８ｃ…発光表示素子（ＬＥＤ）、９ａ，９ｂ…光分岐器、１０…スルー導波路、２０…幹線光ケーブル、２０ａ…被覆除去部、２１…分岐光ファイバ、２２…クロージャ、２３…クランプ部、２４…接続アダプタ、２５…光ファイバ分岐領域、２６…引き落とし領域、２７…ドロップ光ケーブル側の光コネクタ、２８…ドロップ光ケーブル。
【図１】
2009204319.tif 000003
【図２】
2009204319.tif 000004
【図３】
2009204319.tif 000005
【図４】
2009204319.tif 000006
【図５】
2009204319.tif 000007
【図６】
2009204319.tif 000008
【図７】
2009204319.tif 000009